(57)【要約】      （修正有）【課題】組立が容易で、見る者に和の趣を感じさせつつ、壁面のデザインを多様に変化させることができる間仕切構造を提供する。【解決手段】間仕切部１は、上段襖３１と下段襖３２を備える。上梁１１は、上梁フレームと上梁フレームの両側に取り付けられる上梁化粧板とを有する。中間梁１２は、中間梁フレームと中間梁フレームの両側に取り付けられる中間梁化粧板とを有する。下梁１３は、下梁フレームと下梁フレームの両側に取り付けられる下梁化粧板とを有する。間仕切部１は、柱フレームと柱フレームの外面に取り付けられる柱化粧板とを有する複数対の柱部材２１を含む。柱部材２１は、上梁１１と中間梁１２と下梁１３とを前後から支持する。間仕切部１は、柱フレームと上梁フレーム、中間梁フレーム、下梁フレームとを連結する連結部材４０を備える。【選択図】図２
2013194437.tif 000002
【特許請求の範囲】
【請求項１】
水平方向に沿った一方向に延びる上側梁フレームと、前記一方向に延びる鴨居溝が下面に形成された鴨居と、前記上側梁フレームの前面および後面の少なくとも一方に取り付けられる上側梁化粧板とを有する上側梁部と、
前記一方向に延びる下側梁フレームと、前記一方向に延びる敷居溝が上面に形成された敷居と、前記下側梁フレームの前面および後面の少なくとも一方に取り付けられる下側梁化粧板とを有する下側梁部と、
前記上側梁部の鴨居溝に係合する上縁と、前記下側梁部の敷居溝に係合する下縁とを有する襖と、
鉛直方向に延びる柱フレームと、前記柱フレームの外面に取り付けられる柱化粧板とを有する複数対の柱部材であって、前記上側梁部と前記下側梁部とを前後から支持する複数対の柱部材と、
前記柱フレームと前記上側梁フレームおよび前記下側梁フレームとを連結する連結部材と、
を備えたことを特徴とする間仕切構造。
【請求項２】
前記上側梁化粧板は、前記上側梁部の前面および後面の少なくとも一方に着脱自在に取り付けられていることを特徴とする請求項１に記載の間仕切構造。
【請求項３】
前記下側梁化粧板は、前記下側梁部の前面および後面の少なくとも一方に着脱自在に取り付けられていることを特徴とする請求項１または２に記載の間仕切構造。
【請求項４】
前記柱化粧板は、前記柱部材の外面に着脱自在に取り付けられていることを特徴とする請求項１から３のいずれか一項に記載の間仕切構造。
【請求項５】
前記襖は、印刷処理を施すことが可能な上貼を有することを特徴とする請求項１から４のいずれか一項に記載の間仕切構造。
【請求項６】
前記複数対の柱部材のそれぞれの対の柱部材の上端を接続する接続部材をさらに備えたことを特徴とする請求項１から５のいずれか一項に記載の間仕切構造。
【請求項７】
請求項１から６のいずれか一項に記載の間仕切構造を第１の間仕切部として水平方向に沿った第１の方向に配置し、
請求項１から６のいずれか一項に記載の間仕切構造を第２の間仕切部として水平方向に沿った第２の方向に配置し、
前記第２の間仕切部における前記連結部材のうち、前記第２の間仕切部の１つの柱フレームと前記上側梁フレームおよび前記下側梁フレームとを連結する連結部材により、前記第１の間仕切部の前記上側梁フレームおよび前記下側梁フレームと前記第２の間仕切部の１つの柱フレームとがそれぞれ連結される、
ことを特徴とする間仕切システム。
【請求項８】
前記第１の間仕切部の前記上側梁フレームまたは前記下側梁フレームに沿って延びる梁接触部と、前記第２の間仕切部の１つの柱フレームに沿って延びる柱接触部と、前記梁接触部および前記柱接触部とを互いに接続する補強壁とを有するブラケットをさらに備えたことを特徴とする請求項７に記載の間仕切システム。
【請求項９】
水平方向に沿った一方向に延びる上梁フレームと、前記一方向に延びる上段鴨居溝が下面に形成された上段鴨居と、前記上梁フレームの前面および後面の少なくとも一方に取り付けられる上梁化粧板とを有する上梁と、
前記一方向に延びる中間梁フレームと、前記一方向に延びる上段敷居溝が上面に形成された上段敷居と、前記一方向に延びる下段鴨居溝が下面に形成された下段鴨居と、前記中間梁フレームの前面および後面の少なくとも一方に取り付けられる中間梁化粧板とを有する中間梁と、
前記上梁の上段鴨居溝に係合する上縁と、前記中間梁の上段敷居溝に係合する下縁とを有する上段襖と、
前記一方向に延びる下梁フレームと、前記一方向に延びる下段敷居溝が上面に形成された下段敷居と、前記下梁フレームの前面および後面の少なくとも一方に取り付けられる下梁化粧板とを有する下梁と、
前記中間梁の下段鴨居溝に係合する上縁と、前記下梁の下段敷居溝に係合する下縁とを有する下段襖と、
鉛直方向に延びる柱フレームと、前記柱フレームの外面に取り付けられる柱化粧板とを有する複数対の柱部材であって、上記上梁と前記中間梁と前記下梁とを前後から支持する複数対の柱部材と、
前記柱フレームと前記上梁フレーム、前記中間梁フレーム、および前記下梁フレームとを連結する連結部材と、
を備えたことを特徴とする間仕切構造。
【発明の詳細な説明】
【技術分野】
【０００１】
本発明は、間仕切構造および間仕切システムに関するものである。
【背景技術】
【０００２】
従来から和室などの部屋の間仕切として襖が用いられている。しかしながら、従来の襖構造は、建物の構造の一部として組み込まれており、新たに建物内で組み立てて作ることは想定されていない。
【０００３】
一方で、簡易に組み立てられる間仕切が知られている（例えば、特許文献１参照）。このような間仕切は空間を仕切るという本来の目的以外の目的で用いられることが少なく、特にオフィスなどで用いられることが多いために、その壁面は非常にシンプルなデザインのものが多い。
【先行技術文献】
【特許文献】
【０００４】
【特許文献１】特開２０１１−１７４２２０号公報
【発明の概要】
【発明が解決しようとする課題】
【０００５】
本発明は、このような従来技術に鑑みてなされたもので、組立が容易で、見る者に和の趣を感じさせつつ、壁面のデザインを多様に変化させることができる間仕切構造および間仕切システムを提供することを目的とする。
【課題を解決するための手段】
【０００６】
本発明の第１の態様によれば、組立が容易で、見る者に和の趣を感じさせつつ、壁面のデザインを多様に変化させることができる間仕切構造が提供される。この間仕切構造は、上側梁部と下側梁部とを有する。上記上側梁部は、水平方向に沿った一方向に延びる上側梁フレームと、上記一方向に延びる鴨居溝が下面に形成された鴨居と、上記上側梁フレームの前面および後面の少なくとも一方に取り付けられる上側梁化粧板とを有している。上記下側梁部は、上記一方向に延びる下側梁フレームと、上記一方向に延びる敷居溝が上面に形成された敷居と、上記下側梁フレームの前面および後面の少なくとも一方に取り付けられる下側梁化粧板とを有している。上記間仕切構造は、上記上側梁部の鴨居溝に係合する上縁と、上記下側梁部の敷居溝に係合する下縁とを有する襖をさらに有している。また、上記間仕切構造は、鉛直方向に延びる柱フレームと、上記柱フレームの外面に取り付けられる柱化粧板とを有する複数対の柱部材を含んでいる。これらの複数対の柱部材は、上記上側梁部と上記下側梁部とを前後から支持する。さらに、上記間仕切構造は、上記柱フレームと上記上側梁フレームおよび上記下側梁フレームとを連結する連結部材を備えている。
【０００７】
上記上側梁部の前面および後面の少なくとも一方に上記上側梁化粧板を着脱自在に取り付けることが好ましく、上記下側梁部の前面および後面の少なくとも一方に上記下側梁化粧板を着脱自在に取り付けることが好ましい。さらに、上記柱部材の外面に上記柱化粧板を着脱自在に取り付けることが好ましい。また、上記襖としては、印刷処理を施すことが可能な上貼を有する襖を用いることが好ましい。さらに、上記間仕切構造は、上記複数対の柱部材のそれぞれの対の柱部材の上端を接続する接続部材をさらに備えていてもよい。
【０００８】
本発明の第２の態様によれば、組立が容易で、見る者に和の趣を感じさせつつ、壁面のデザインを多様に変化させることができる間仕切システムが提供される。この間仕切システムにおいては、上述した間仕切構造が第１の間仕切部として水平方向に沿った第１の方向に配置され、第２の間仕切部として水平方向に沿った第２の方向に配置される。上記第２の間仕切部における上記連結部材のうち、上記第２の間仕切部の１つの柱フレームと上記上側梁フレームおよび上記下側梁フレームとを連結する連結部材により、上記第１の間仕切部の上記上側梁フレームおよび上記下側梁フレームと上記第２の間仕切部の１つの柱フレームとがそれぞれ連結される。
【０００９】
この場合において、上記第１の間仕切部の上記上側梁フレームまたは上記下側梁フレームに沿って延びる梁接触部と、上記第２の間仕切部の１つの柱フレームに沿って延びる柱接触部と、上記梁接触部および上記柱接触部とを互いに接続する補強壁とを有するブラケットを設けることが好ましい。
【００１０】
本発明の第３の態様によれば、組立が容易で、見る者に和の趣を感じさせつつ、壁面のデザインを多様に変化させることができる間仕切構造が提供される。この間仕切構造は、上梁と中間梁と下梁とを有する。上記上梁は、水平方向に沿った一方向に延びる上梁フレームと、上記一方向に延びる上段鴨居溝が下面に形成された上段鴨居と、上記上梁フレームの前面および後面の少なくとも一方に取り付けられる上梁化粧板とを有する。上記中間梁は、上記一方向に延びる中間梁フレームと、上記一方向に延びる上段敷居溝が上面に形成された上段敷居と、上記一方向に延びる下段鴨居溝が下面に形成された下段鴨居と、上記中間梁フレームの前面および後面の少なくとも一方に取り付けられる中間梁化粧板とを有する。上記下梁は、上記一方向に延びる下梁フレームと、上記一方向に延びる下段敷居溝が上面に形成された下段敷居と、上記下梁フレームの前面および後面の少なくとも一方に取り付けられる下梁化粧板とを有する。上記間仕切構造は、上記上梁の上段鴨居溝に係合する上縁と、上記中間梁の上段敷居溝に係合する下縁とを有する上段襖と、上記中間梁の下段鴨居溝に係合する上縁と、上記下梁の下段敷居溝に係合する下縁とを有する下段襖とを備える。また、上記間仕切構造は、鉛直方向に延びる柱フレームと、上記柱フレームの外面に取り付けられる柱化粧板とを有する複数対の柱部材を含んでいる。これらの複数対の柱部材は、上記上梁と上記中間梁と上記下梁とを前後から支持する。さらに、上記間仕切構造は、上記柱フレームと上記上梁フレーム、上記中間梁フレーム、および上記下梁フレームとを連結する連結部材を備えている。
【発明の効果】
【００１１】
本発明によれば、複数の部材を連結するだけで簡単に間仕切構造を組み立てることができる。特に、間仕切として襖を用いるという従来には全くなかった発想に基づいているため、斬新なデザインの間仕切構造を構築することができる。また、間仕切として襖を利用しているので、見る者に和の趣を感じさせることができる。さらに、襖を簡単に取り外すことができるので、襖の上貼のデザインを様々なものに簡単に変更することができ、間仕切の壁面のデザインを多様に変化させることができる。このような間仕切システムを店舗やショールームで用いることとすれば、斬新なデザインの店舗やショールームとすることができ、非常に効果的である。
【図面の簡単な説明】
【００１２】
【図１】本発明の一実施形態における間仕切システムの概念を示す模式的平面図である。
【図２】図１の間仕切構造における第１の間仕切部を示す斜視図である。
【図３】図２の第１の間仕切部における上梁を示す縦断面図である。
【図４】図３に示す上梁の分解断面図である。
【図５】図２の第１の間仕切部における中間梁を示す縦断面図である。
【図６】図５に示す中間梁の分解断面図である。
【図７】図２の第１の間仕切部における下梁を示す縦断面図である。
【図８】図７に示す下梁の分解断面図である。
【図９】図２の第１の間仕切部における柱部の柱部材を示す横断面図である。
【図１０】図９に示す柱部材の分解断面図である。
【図１１】図２の第１の間仕切部の中間梁と柱部の連結部分を示す横断面図である。
【図１２】図１１の連結部材を示す断面図である。
【図１３】図１１の連結部材を示す正面図である。
【図１４】図１１の連結部材を示す右側面図である。
【図１５】図１の第１の間仕切部と第２の間仕切部との連結部分を示す横断面図である。
【図１６】図１の第１の間仕切部と第２の間仕切部との連結部分を示す正面図である。
【図１７】図１６の連結部分において用いられるブラケットを示す正面図である。
【図１８】図１７のブラケットの平面図である。
【図１９】図１７のブラケットの左側面図である。
【発明を実施するための形態】
【００１３】
以下、本発明に係る間仕切システムの実施形態について図１から図１９を参照して詳細に説明する。なお、図１から図１９において、同一または相当する構成要素には、同一の符号を付して重複した説明を省略する。
【００１４】
図１は、本発明の一実施形態における間仕切システムの概念を示す模式的平面図である。図１に示すように、本実施形態における間仕切システムは、水平方向の一方向に延びる第１の間仕切部（間仕切構造）１と、第１の間仕切部１と略垂直な方向に延びる第２の間仕切部（間仕切構造）２とから構成される。なお、図１に示すレイアウトは例示に過ぎず、本発明は図１に示す例に限られるものではない。
【００１５】
上述した第１の間仕切部１と第２の間仕切部２は略同一の構造を有しているため、以下では第１の間仕切部１について主に説明し、第２の間仕切部２については重複する部分についての説明を省略する。
【００１６】
図２は、第１の間仕切部１を示す斜視図である。図２に示すように、第１の間仕切部１は、水平方向に延びる３つの梁部１１，１２，１３と、鉛直方向に延びる３つの柱部２０と、梁部１１，１２，１３の間に配置された襖３１，３２とを含んでいる。図１および図２に示すように、それぞれの柱部２０は一対の柱部材２１，２１から構成され、梁部１１，１２，１３はその前後を一対の柱部材２１，２１の間に挟まれるようにして柱部２０に固定される。このような柱部材２１を複数対（図示の例では３対）設け、梁部１１，１２，１３を複数対の柱部材２１により支持している。一対の柱部材２１，２１の上端は接続部材２２により互いに接続されている。
【００１７】
図３は、最上部の梁部（上梁）１１を示す縦断面図である。図３に示すように、上梁１１は、アルミニウムなどの金属からなる上梁フレーム１１１と、上梁フレーム１１１の下部に取り付けられた木製の（上段）鴨居１１２と、上梁フレーム１１１の見込方向の両面に取り付けられた上梁化粧板１１４とを含んでいる。鴨居１１２の下面には上段襖３１の上縁を係合させる（上段）鴨居溝１１２Ａが２つ形成されている。なお、上梁化粧板１１４を上梁フレーム１１１の見込方向の片面にのみ取り付けてもよい。
【００１８】
図４に示すように、上述した上梁化粧板１１４は上梁フレーム１１１に対して着脱自在に取り付けられている。すなわち、上梁フレーム１１１の見込方向の両側には係止片１１５が形成されており、この係止片１１５に対応して上梁化粧板１１４の上梁フレーム１１１側の面には弾力性のあるフック１１６が設けられている。したがって、上梁化粧板１１４のフック１１６を上梁フレーム１１１の係止片１１５に係止させることによって、上梁化粧板１１４を上梁フレーム１１１に取り付けることができる。また、フック１１６の弾力性を利用してフック１１６と係止片１１５との係合を簡単に外すことができるので、上梁化粧板１１４を上梁フレーム１１１から取り外すことも容易である。
【００１９】
なお、本実施形態では、上梁フレーム１１１の係止片１１５と上梁化粧板１１４のフック１１６とにより上梁化粧板１１４を上梁フレーム１１１に対して着脱可能にしているが、上梁化粧板１１４を上梁フレーム１１１に対して着脱可能とする構造は図示のものに限られるものではない。
【００２０】
図５は、上梁１１と最下部の梁部（下梁）１３との間にある梁部（中間梁）１２を示す縦断面図である。図５に示すように、中間梁１２は、アルミニウムなどの金属からなる中間梁フレーム１２１と、中間梁フレーム１２１の上部に取り付けられた木製の（上段）敷居１２２と、中間梁フレーム１２１の下部に取り付けられた木製の（下段）鴨居１２３と、中間梁フレーム１２１の見込方向の両面に取り付けられた中間梁化粧板１２４とを含んでいる。敷居１２２の上面には上段襖３１の下縁を係合させる（上段）敷居溝１２２Ａが２つ形成されており、鴨居１２３の下面には下段襖３２の上縁を係合させる（下段）鴨居溝１２３Ａが２つ形成されている。なお、中間梁化粧板１２４を中間梁フレーム１２１の見込方向の片面にのみ取り付けてもよい。
【００２１】
図６に示すように、上述した中間梁化粧板１２４は中間梁フレーム１２１に対して着脱自在に取り付けられている。すなわち、中間梁フレーム１２１の見込方向の両側には係止片１２５が形成されており、この係止片１２５に対応して中間梁化粧板１２４の中間梁フレーム１２１側の面には弾力性のあるフック１２６が設けられている。したがって、中間梁化粧板１２４のフック１２６を中間梁フレーム１２１の係止片１２５に係止させることによって、中間梁化粧板１２４を中間梁フレーム１２１に取り付けることができる。また、フック１２６の弾力性を利用してフック１２６と係止片１２５との係合を簡単に外すことができるので、中間梁化粧板１２４を中間梁フレーム１２１から取り外すことも容易である。
【００２２】
なお、本実施形態では、中間梁フレーム１２１の係止片１２５と中間梁化粧板１２４のフック１２６とにより中間梁化粧板１２４を中間梁フレーム１２１に対して着脱可能にしているが、中間梁化粧板１２４を中間梁フレーム１２１に対して着脱可能とする構造は図示のものに限られるものではない。
【００２３】
図７は、下梁１３を示す縦断面図である。図７に示すように、下梁１３は、アルミニウムなどの金属からなる下梁フレーム１３１と、下梁フレーム１３１の上部に取り付けられた木製の（下段）敷居１３２と、下梁フレーム１３１の見込方向の両面に取り付けられた下梁化粧板１３４とを含んでいる。敷居１３２の上面には下段襖３２の下縁を係合させる（下段）敷居溝１３２Ａが２つ形成されている。なお、下梁化粧板１３４を下梁フレーム１３１の見込方向の片面にのみ取り付けてもよい。
【００２４】
図８に示すように、上述した下梁化粧板１３４は下梁フレーム１３１に対して着脱自在に取り付けられている。すなわち、下梁フレーム１３１の見込方向の両側には係止片１３５が形成されており、この係止片１３５に対応して下梁化粧板１３４の下梁フレーム１３１側の面には弾力性のあるフック１３６が設けられている。したがって、下梁化粧板１３４のフック１３６を下梁フレーム１３１の係止片１３５に係止させることによって、下梁化粧板１３４を下梁フレーム１３１に取り付けることができる。また、フック１３６の弾力性を利用してフック１３６と係止片１３５との係合を簡単に外すことができるので、下梁化粧板１３４を下梁フレーム１３１から取り外すことも容易である。
【００２５】
なお、本実施形態では、下梁フレーム１３１の係止片１３５と下梁化粧板１３４のフック１３６とにより下梁化粧板１３４を下梁フレーム１３１に対して着脱可能にしているが、下梁化粧板１３４を下梁フレーム１３１に対して着脱可能とする構造は図示のものに限られるものではない。
【００２６】
図９は、柱部２０の柱部材２１を示す横断面図である。図９に示すように、柱部材２１は、アルミニウムなどの金属からなる柱フレーム２１１と、柱フレーム２１１の周囲に取り付けられた柱化粧板２１４とを含んでいる。図１０に示すように、上述した柱化粧板２１４は柱フレーム２１１に対して着脱自在に取り付けられている。すなわち、柱フレーム２１１には係止片２１５が形成されており、この係止片２１５に対応して柱化粧板２１４の柱フレーム２１１側の面には弾力性のあるフック２１６が設けられている。したがって、柱化粧板２１４のフック２１６を柱フレーム２１１の係止片２１５に係止させることによって、柱化粧板２１４を柱フレーム２１１に取り付けることができる。また、フック２１６の弾力性を利用してフック２１６と係止片２１５との係合を簡単に外すことができるので、柱化粧板２１４を柱フレーム２１１から取り外すことも容易である。
【００２７】
なお、本実施形態では、柱フレーム２１１の係止片２１５と柱化粧板２１４のフック２１６とにより柱化粧板２１４を柱フレーム２１１に対して着脱可能にしているが、柱化粧板２１４を柱フレーム２１１に対して着脱可能とする構造は図示のものに限られるものではない。
【００２８】
次に、上述した柱部２０と梁部１１，１２，１３との連結部分について説明する。上梁１１と柱部２０の連結構造、中間梁１２と柱部２０の連結構造、および下梁１３と柱部２０の連結構造はいずれも同一であるため、ここでは、上梁１１と柱部２０の連結構造についてのみ説明し、他の梁１２，１３と柱部２０の連結構造については説明を省略する。
【００２９】
図１１は、上梁１１と柱部２０の連結部分を示す横断面図である。図１１においては、理解を容易にするため、上梁１１の鴨居１１３、上梁化粧板１１４、および柱部材２１の柱化粧板２１４を省略して図示している。図１１に示すように、上梁１１の上梁フレーム１１１と柱部材２１の柱フレーム２１１とが複数の連結部材４０によって連結されている。本実施形態では、同一形状の連結部材４０を２つ突き合わせてそれぞれの柱フレーム２１１を上梁フレーム１１１に連結している。
【００３０】
図１２は連結部材４０（４０Ａ）の断面図、図１３は正面図、図１４は右側面図である。図１２から図１４に示すように、連結部材４０は、金属板を鉤状に折り曲げて形成されており、上梁フレーム１１１に固定される梁固定部４０１と、隣接する他の連結部材４０（４０Ｂ）に当接する当接部４０２と、柱フレーム２１１に固定される柱固定部４０３とを備えている。
【００３１】
連結部材４０の梁固定部４０１には挿通孔４０４が形成されている。図１２に示す例では２つの挿通孔４０４が形成されている。これらの挿通孔４０４に固定用のボルト５０１（図１１参照）を挿通させ上梁フレーム１１１に形成されたボルト孔（図示せず）にボルト５０１を螺合させることにより、連結部材４０が上梁フレーム１１１に固定される。
【００３２】
また、連結部材４０の柱固定部４０３にも挿通孔４０５，４０６が形成されている。これらの挿通孔４０５，４０６に固定用のボルト５０２，５０３（図１１参照）を挿通させ柱フレーム２１１に形成されたボルト孔（図示せず）にこれらのボルト５０２，５０３をそれぞれ螺合させることにより、連結部材４０が柱フレーム２１１に固定される。
【００３３】
また、連結部材４０の当接部４０２にも挿通孔４０７が形成されている。この挿通孔４０７と、隣接する他の連結部材４０（４０Ｂ）の当接部４０２の挿通孔４０７に固定用のボルト５０４（図１１参照）を挿通させて他方の連結部材４０（４０Ｂ）側からナット５０５（図１１参照）で締結することにより、２つの連結部材４０Ａ，４０Ｂが互いに固定される。
【００３４】
図１５は、第１の間仕切部１と第２の間仕切部２との連結部分を示す横断面図である。また、図１６は、この連結部分を正面から見た図であり、第２の間仕切部２の上梁１１−２の上梁フレーム１１１−２が断面で示されている。図１５および図１６においても、理解を容易にするため、それぞれの上梁の鴨居、上梁化粧板、およびそれぞれの柱部材の柱化粧板を省略して図示している。
【００３５】
図１５および図１６に示すように、第１の間仕切部１と第２の間仕切部２とは連結部材４０Ｃを用いて連結することができる。すなわち、図１５において、連結部材４０Ｃの挿通孔４０６Ｃにはボルト５０３Ｃが挿通され、このボルト５０３Ｃを柱フレーム２１１Ｃのボルト孔に螺合させることにより、第２の間仕切部２の上梁フレーム１１１−２と柱部材２１Ｃの柱フレーム２１１Ｃとが連結される。
【００３６】
一方で、連結部材４０Ｃの柱固定部４０３Ｃに形成されたもう一つの挿通孔（図１２における符号４０５）には、第１の間仕切部１の上梁１１−１の上梁フレーム１１１−１から突出するボルト５１０が挿通され、このボルト５１０を柱フレーム２１１Ｃのボルト孔に螺合させることにより、第１の間仕切部１の上梁フレーム１１１−１と柱部材２１Ｃの柱フレーム２１１Ｃとが連結される。
【００３７】
このように、一方の間仕切部の上梁フレーム（または中間梁フレームあるいは下梁フレーム）と柱フレームとを連結する連結部材を用いて、他方の間仕切部の上梁フレーム（または中間梁フレームあるいは下梁フレーム）と当該柱フレームとを連結することができる。このように、複数の間仕切部を連結することで、これらの間仕切部を自立させることができる。なお、柱部材２１，２１の上端を接続する接続部材２２（図２参照）を天井や天井に取り付けられた補助具に固定することとすれば、必ずしも複数の間仕切部を設ける必要はなく、間仕切システムを単一の間仕切部で構成することも可能である。
【００３８】
ここで、図１６に示すように、ブラケット６０を用いて上梁フレーム１１１−１と柱フレーム２１１Ｃとの間の連結を補強してもよい。図１７はブラケット６０（６０Ａ）の正面図、図１８は平面図、図１９は左側面図である。
【００３９】
図１７から図１９に示すように、ブラケット６０は、上梁フレーム１１１−１に沿って延び上梁フレーム１１１−１の上面に接触する梁接触部６０１と、柱フレーム２１１Ｃに沿って延び柱フレーム２１１Ｃの側面に接触する柱接触部６０２とを有しており、これらの梁接触部６０１および柱接触部６０２は略三角形の板状の補強壁６０３，６０４，６０５によって互いに接続されている。
【００４０】
梁接触部６０１にはボルト孔６０１Ａが形成されており、このボルト孔６０１Ａにボルト（図示せず）を挿通して上梁フレーム１１１−１に螺合させることによって、ブラケット６０が上梁フレーム１１１−１に固定される。また、柱接触部６０２にもボルト孔６０２Ａが形成されており、このボルト孔６０２Ａにボルト（図示せず）を挿通して柱フレーム２１１Ｃに螺合させることによって、ブラケット６０が柱フレーム２１１Ｃに固定される。
【００４１】
このようなブラケット６０を設けることによって、２つの間仕切部の連結部を補強することができ、より安定的な間仕切構造を構築することができる。
【００４２】
以上述べたように、本実施形態によれば、複数の部材を連結するだけで簡単に間仕切構造を組み立てることができる。特に、間仕切として襖を用いるという従来には全くなかった発想に基づいたシステムであるため、斬新なデザインの間仕切構造を構築することができる。また、間仕切として襖を利用しているので、見る者に和の趣を感じさせることができる。
【００４３】
さらに、上述した襖は、従来の襖構造と同様に、鴨居と敷居の間で遊びを持って取り付けられているため簡単に取り外すことができる。したがって、襖を取り替えることで襖の上貼のデザインを様々なものに簡単に変更することができ、間仕切の壁面のデザインを多様に変化させることができる。このような間仕切システムを店舗やショールームで用いることとすれば、斬新なデザインの店舗やショールームとすることができ、非常に効果的である。また、間仕切構造のそれぞれの部材（梁部や柱部材）の外面は化粧板で覆われているため、審美性・意匠性の点においても優れている。
【００４４】
なお、襖の上貼のデザインを様々なものに変更できるように、例えば、印刷処理を施すことが可能な上貼りを利用してもよい。そのような上貼りとしては、例えば塩化ビニルなどのビニルクロスや、表面が織物で裏面が紙でできた素材などが考えられる。
【００４５】
上述した実施形態では、３つの梁から構成される上下２段の間仕切構造について説明したが、本発明に係る間仕切構造は少なくとも２つの梁（上側梁部と下側梁部）を備えていればよく、上下１段の間仕切構造とすることや３段以上の間仕切構造とすることも可能である。また、上述したように、少なくとも２つの間仕切構造を連結することにより、これらの間仕切構造を自立させることができる。
【００４６】
なお、本明細書において使用した用語「前面」、「後面」、「前後」、「見込方向」、その他の位置関係を示す用語は、図示した実施形態との関連において使用されているのであり、構造の相対的な位置関係によって変化するものである。
【００４７】
これまで本発明の好ましい実施形態について説明したが、本発明は上述の実施形態に限定されず、その技術的思想の範囲内において種々異なる形態にて実施されてよいことは言うまでもない。
【符号の説明】
【００４８】
１，２    間仕切部（間仕切構造）
１１    上梁（梁部）
１２    中間梁（梁部）
１３    下梁（梁部）
２０    柱部
２１    柱部材
２２    接続部材
３１    上段襖
３２    下段襖
４０    連結部材
６０    ブラケット
１１１    上梁フレーム
１１２    上段鴨居
１１２Ａ  上端鴨居溝
１１４    上梁化粧板
１１５    係止片
１１６    フック
１２１    中間梁フレーム
１２２    上段敷居
１２２Ａ  上段敷居溝
１２３    下段鴨居
１２３Ａ  下段鴨居溝
１２４    中間梁化粧板
１２５    係止片
１２６    フック
１３１    下梁フレーム
１３２    下段敷居
１３２Ａ  下段敷居溝
１３４    下梁化粧板
１３５    係止片
１３６    フック
２１１    柱フレーム
２１４    柱化粧板
２１５    係止片
２１６    フック
４０１    梁固定部
４０２    当接部
４０３    柱固定部
４０４〜４０７    挿通孔
５０１〜５０４    ボルト
５０５    ナット
６０１    梁接触部
６０１Ａ  ボルト孔
６０２    柱接触部
６０２Ａ  ボルト孔
６０３〜６０５    補強壁
【図１】
2013194437.tif 000003
【図２】
2013194437.tif 000004
【図３】
2013194437.tif 000005
【図４】
2013194437.tif 000006
【図５】
2013194437.tif 000007
【図６】
2013194437.tif 000008
【図７】
2013194437.tif 000009
【図８】
2013194437.tif 000010
【図９】
2013194437.tif 000011
【図１０】
2013194437.tif 000012
【図１１】
2013194437.tif 000013
【図１２】
2013194437.tif 000014
【図１３】
2013194437.tif 000015
【図１４】
2013194437.tif 000016
【図１５】
2013194437.tif 000017
【図１６】
2013194437.tif 000018
【図１７】
2013194437.tif 000019
【図１８】
2013194437.tif 000020
【図１９】
2013194437.tif 000021